(57)【要約】【課題】媒体を撮像する際、外部からの光の影響や媒体の反り等により、媒体の一部が局部的に反射して不適なイメージ画像となることがある。この場合、真偽判定に使用している領域が光により阻害されて真偽判定の誤りを誘起するのを未然に防止する。【解決手段】媒体から読み取った画像データからヒストグラムを作成し、そのヒストグラムの分布形状から正しく置かれてないと判断した場合、媒体を正しく置き直す案内を実行して、常に媒体が正しく置かれることを確保して媒体の真偽判別を正確に行うことができ、真偽判定を誤る可能性を低減できる。【選択図】図８
2008310624.tif 000002
【特許請求の範囲】
【請求項１】
媒体を設置する設置台と、
該設置台に設置された媒体に光を照射する光源と、
前記光源からの光を前記媒体に照射させて前記媒体表面の画像を読み取る撮像手段と、
前記撮像手段により読み取った画像情報と予め撮像して記憶されている登録画像情報とを比較して前記媒体の真偽を照合する制御部と、
該照合の結果を出力する出力手段と、
を備えた媒体照合装置であって、
前記制御部は、
前記光源から光が照射された媒体の全表面を前記撮像手段を用いて読み取り、読み取った媒体の全表面の画像情報に基づいて該媒体が前記設置台に正しく置かれているか否かを判定する判定手段を設け、
前記判定手段の判定結果に応じた出力情報を前記出力手段により出力させる
媒体照合装置。
【請求項２】
前記判定手段は、
前記撮像手段が読み取った媒体の全表面の画像情報から光量の分布形状を表すヒストグラムを作成し、媒体が不適な姿勢の向きに置かれている場合に発生する正反射光を該ヒストグラムから検出すれば、媒体が正しく置かれていないと判定する
請求項１に記載の媒体照合装置。
【請求項３】
前記判定手段は、
前記撮像手段が読み取った媒体の全表面の画像情報から光量の分布形状を表すヒストグラムを作成し、該ヒストグラムには散乱光の集まりからなる散乱光ピークの他に、ヒストグラムの明るい領域側に正反射光の集まりからなる正反射光ピークができている場合に不適な姿勢と判定する
請求項１または２に記載の媒体照合装置。
【請求項４】
前記撮像手段が読み取った媒体の全表面の画像情報から媒体が正しく置かれているか否かを前記判定手段により判定し、媒体が正しく置かれていないと判定した場合、前記媒体を前記出力手段により正しく置き直すことを案内し、前記媒体が正しく置かれていると判定した場合、媒体の照合開始条件を満したと判定して前記制御部が媒体の照合動作を開始する
請求項１、２または３に記載の媒体照合装置。
【請求項５】
前記正しく置かれている媒体から前記撮像手段が読み取ったイメージ画像データと、予め撮像して記憶されている本物の媒体のイメージ画像データとを比較することに基づいて、前記正しく置かれている媒体の真偽を照合する
請求項１〜４の何れか１つに記載の媒体照合装置。
【発明の詳細な説明】
【技術分野】
【０００１】
この発明は、運転免許証などの媒体の真偽を照合する媒体照合装置に関し、さらに詳しくは媒体が照射位置に正しく置かれたか否かを照合開始前に実行する媒体照合装置に関する。
【背景技術】
【０００２】
一般に、この種の媒体照合装置は光源から媒体に向けて光を照射させ、その照射された光が媒体の表面より反射し、反射した媒体の全表面からの光学的なイメージ画像を撮像し、この撮像したイメージ画像データと予め撮像しておいた本物の媒体のイメージ画像データとを比較することにより照合している。
【０００３】
このような媒体照合装置の一例として、近年、波長帯域を異ならせた複数の光を切り替えて媒体に照射するという特有の技術を用いて照合精度を高めるものが知られている（例えば特許文献１参照）。  
この場合は、免許証等の照合対象となる媒体の画像を複数の波長を用いて撮像し、撮像後に予め撮像しておいた本物の媒体のイメージ画像データと比較することにより、撮像した媒体を精度よく真偽判定するというものである。
【特許文献１】特開２００２−４２２０４号公報
【発明の開示】
【発明が解決しようとする課題】
【０００４】
しかし、媒体の画像を取得する照射位置に設置された媒体を上方から抑え付ける蓋を使用しない撮像構成においては、外部からの光の影響や媒体自体の反り等により反射方向が不安定な向きとなり、撮像した媒体のイメージ画像データの一部が過剰に明るくなる場合がある。この場合、真偽判定に使用しているイメージ画像データの特定領域が非常に明るくなり、真偽判定を誤る原因になる。
【０００５】
また、媒体が照射位置に正しく置かれていることを前提としているため、媒体の全表面のイメージ画像データは、置き方の違いや反り具合により撮像した際の画像データが異なり、この誤差を含んだイメージ画像データと、予め撮像しておいた本物の媒体のイメージ画像データとを比較してしまうと、真偽判定の誤りを発生させてしまう。
【０００６】
さらに、特許文献１に開示されているように、複数の波長で撮像したイメージ画像データを用いたとしても、常に媒体が正しく置かれていることを前提としているため、正しく置かれていない場合には真偽判定の誤りが多くなる。
【０００７】
そこでこの発明は、媒体の画像情報の取得に際して、媒体の反り等に伴って画像の取得が阻害されないようにした媒体照合装置を提供することを目的とする。
【課題を解決するための手段】
【０００８】
この発明は、媒体を設置する設置台と、該設置台に設置された媒体に光を照射する光源と、前記光源からの光を前記媒体に照射させて前記媒体表面の画像を読み取る撮像手段と、前記撮像手段により読み取った画像情報と予め撮像して記憶されている登録画像情報とを比較して前記媒体の真偽を照合する制御部と、該照合の結果を出力する出力手段とを備えた媒体照合装置であって、前記制御部は、前記光源から光が照射された媒体の全表面を前記撮像手段を用いて読み取り、読み取った媒体の全表面の画像情報に基づいて該媒体が前記設置台に正しく置かれているか否かを判定する判定手段を設け、前記判定手段の判定結果に応じた出力情報を前記出力手段により出力させることを特徴とする。
【発明の効果】
【０００９】
この発明によれば、媒体の照合に際して、媒体からの光の反射に異常がある場合に、媒体が正しく置かれていないので照合開始不可である旨等を案内して、媒体を置き直させることができる。このため、媒体の照合開始時には常に媒体が適正な姿勢にあることを確認してから読取開始させる照合開始条件を確保でき、真偽判定の誤りを未然に防止することができる。
【発明を実施するための最良の形態】
【００１０】
この発明の媒体照合装置の一実施例の構成を図面について説明する。
【実施例】
【００１１】
図面はこの発明の媒体照合装置として設けられる媒体のイメージ画像読取装置を示し、この媒体のイメージ画像読取装置は、例えば消費者金融などの契約システムに採用される無人契約端末のような自動契約装置に備えられる。そして、自動契約時にイメージ画像読取装置によって、免許証、書類等の媒体のイメージ画像データを読み取って照合する。
【００１２】
図１はイメージ画像読取装置の概略構成図であり、図２はイメージ画像読取装置を用いて正しく置かれた媒体読取状態を示す概略説明図であり、図３はイメージ画像読取装置を用いて不安定に置かれた媒体読取状態を示す概略説明図である。
【００１３】
前記イメージ画像読取装置は、光を照射する光源１１と、シート状の媒体を平面的に置く設置台１２と、媒体の全表面から反射された光を読み取る画像取得用の撮像カメラ(ＣＣＤ)１３と、媒体の置き方や置き直しを画面上に表示案内する表示器８１(図８参照)と、これらの画像取得機器を制御管理する制御部６１(図６参照)とを備えている。そして、前記撮像カメラ１３が読み取った媒体のイメージ画像データを、予め基準データとして登録させている登録済みのイメージ画像データと照合させて真偽判定する。
【００１４】
ところで、このイメージ画像読取装置では、媒体の読取段階で設置台１２に置かれた媒体の設置姿勢の適否をチェックし、媒体が正しく置かれていることを確認してから真偽判別動作に移行する設置姿勢確認機能を持たせている。これにより、媒体の設置条件を満たしてから媒体の照合動作に移ることになるので安定した照合性能を確保できる。
【００１５】
例えば、図２に示すように、シート状の媒体が設置台１２の平面的な設置面に平面対応して正しく設置されている場合は、光源１１から、ある傾斜角度で照射された照射光２２は、設置台１２に設置された免許証等の媒体２１の上面を均一に照射する。照射された媒体２１から反射した反射光のうち正反射光２３は、撮像カメラ１３と対応しない方向に向かうので、正反射光２３は撮像カメラ１３に取得されない。一方、散乱光２４は撮像カメラ１３に取得される。よって、媒体２１が正しく設置台１２に設置されていれば、適正なイメージ画像データを取得できる。
【００１６】
一方、図３に示すように、媒体３１が正しく設置されていない場合の一例として媒体３１が反って変形していると、光源１１から照射された照射光３２が媒体３１によって反射した際の反射光のうち、正反射光３３はその一部が変形した媒体３１の曲面の向きによって正常な方向に反射せず、散乱光３４と共に撮像カメラ１３の取得方向に反射する場合がある。このような場合に撮像した媒体３１のイメージ画像データの一部が過剰に明るくなってしまう場合がある。このために真偽判定に使用しているイメージ画像データの特定領域のデータが無効になり、真偽判定を誤る原因になる。
【００１７】
よって、媒体が正しく置かれていることを確認する必要がある。この場合、読み取ったイメージ画像データを分析すれば、媒体が正しく置かれているか否かを確認することができる。図４は適正なイメージ画像データのヒストグラムを示す図表であり、図５は不適正な媒体のイメージ画像データのヒストグラムを示す図表である。
【００１８】
まず、図４に示すように、媒体が設置台に正しく置かれた状態で読み取ったイメージ画像データは、散乱光の集まりからなる単一の散乱光ピーク４１を表すヒストグラムが得られる。該ヒストグラムは撮像カメラ１３が読み取った媒体の全表面の画像情報から光量の分布形状を求めることができる。該ヒストグラムを作成することにより、明るさの度数分布状態、バラツキ状態などが分かる。そして、単一の散乱光ピーク４１であることから媒体表面から均一な明るさが得られており、正常なイメージ画像を読み取っていると分析できる。
【００１９】
これに対し、図５は媒体が設置台に不安定に置かれた状態で取得したイメージ画像データであり、散乱光ピーク５１と、もう１つ別の小さな正反射光ピーク５２との２つのピーク５１，５２を表したヒストグラムが得られる。この場合、正反射光の集まりからなる正反射光ピーク５２がヒストグラムの明るい領域側に検出されることで、媒体に反りが生じているか、あるいは媒体が折れ曲がっていたり、向きが異なっていたりするなど媒体の設置された姿勢が不適であることが分かり、誤ったイメージ画像を読み取っていると分析できる。
【００２０】
このように、撮像カメラ１３が媒体から読み取ったイメージ画像データのヒストグラムを制御部６１(図６参照)で分析し、媒体が不適な姿勢に置かれている場合に生じる正反射光の有無をヒストグラムから判定すればよい。このヒストグラムの分析結果から正反射光をヒストグラムの明るい領域側に検出した場合は媒体が正しく置かれていないと判定できる。
【００２１】
図６はイメージ画像読取装置の制御回路ブロック図である。制御部６１は、制御情報入力系に撮像カメラ１３と入力部６２が接続され、また制御情報出力系に光源１１と表示器８１と照合情報記憶部６３と判定部６４が接続されている。
【００２２】
前記入力部６２は、例えば表示器８１の画面上にタッチ入力可能に表示される確認ボタンや取り消しボタンとして備えられる。  
表示器８１は、媒体を設置台１２の決められた位置に置かせる置き方案内を液晶画面上に表示させる(図８参照)。また、媒体の反りなどを直させて置き直しさせる置き直し案内を同画面上に切替えて表示させる(図９参照)。
【００２３】
照合情報記憶部６３は、撮像カメラ１３が読み取った媒体のイメージ画像データと基準のイメージ画像データとを比較照合させるために、該基準のイメージ画像データを記憶している。
【００２４】
判定部６４は、撮像カメラ１３が読み取った媒体のイメージ画像データのヒストグラムと、照合情報記憶部６３に予め記憶させておいた基準のイメージ画像データのヒストグラムとを比較照合させて、媒体が設置台１２に正しく置かれている姿勢で読み取ったイメージ画像データか否かを判定する。
【００２５】
そして、前記判定部６４の判定結果に基づいて制御部６１は、媒体が設置台１２に正しく置かれている姿勢で読み取ったイメージ画像データと確認すれば、媒体の真偽判別を行う照合開始条件を満したと判定して、その真偽判別の照合動作を開始する。これに対し、媒体が正しく置かれていない姿勢で読み取ったイメージ画像データと判定すれば、前記媒体を正しく置き直すことを表示器８１に表示案内する。
【００２６】
次に、イメージ画像読取装置の処理動作を図７のフローチャートと図８及び図９の表示説明図を参照して説明する。  
まず、媒体２１が正しく置かれた場合の処理動作について説明する。  
表示器８１には操作者(顧客)に対し、図８に示すように、媒体２１を決められた位置に置くように媒体の置き方案内画面８１Ａを表示している（ステップＳ７１）。この表示案内に従い、操作者は媒体２１を設置台１２の決められた位置に正しく置くことになる（ステップＳ７２）。その後、確認入力案内画面に従って操作者が「確認」ボタン(入力部６２)をタッチ入力すると（ステップＳ７３）、図２に示すように、媒体２１の全表面より反射した媒体イメージ画像の散乱光２４を撮像カメラ１３が読み取る（ステップＳ７４）。
【００２７】
この場合、媒体２１が正しく置かれているので、正反射光２３は、散乱光２４より充分明るさが弱まっている。そして、読み取った画像データの明るさ分布を制御部６１が分析してヒストグラム化し、その明るさ分布のピーク数とピーク位置を割り出す（ステップＳ７５）。制御部６１はピーク数とピーク位置を割り出し、散乱光ピーク４１のみの場合、媒体が正しく置かれているものと判断する（ステップＳ７６）。これにより、制御部６１は媒体の照合開始条件を満したと判定して媒体の照合動作に移行し、明暗の比較等、ヒストグラムとは異なる方法で媒体の真偽判定を行う（ステップＳ７７）。
【００２８】
次に、媒体２１が正しく置かれなかった場合の処理動作について説明する。  
表示器８１には操作者(顧客)に対し、図８に示すように、媒体２１を所定の位置に置くように媒体の置き方案内画面８１Ａを表示している（ステップＳ７１）。この表示案内を参照して操作者は媒体を設置台１２に置く。この際、操作者が表示案内に従わず、媒体を設置台１２の決められた位置に正しく置かない場合、あるいは媒体３１が弓なりや波形に反って変形している場合、さらには折れ曲がっている場合などの不適な姿勢で置かれた場合は（ステップＳ７２）、その後、確認入力案内画面に従って操作者が「確認」ボタンをタッチ入力すると（ステップＳ７３）、図３に示すように、媒体３１より反射した媒体イメージ画像の散乱光３４と正反射光３３との双方を撮像カメラ１３が読み取る（ステップＳ７４）。
【００２９】
この場合、媒体３１が正しく置かれていないので、正反射光３３は散乱光３４より充分明るさが弱まっていない。そして、読み取ったイメージ画像データの明るさ分布状態を制御部６１が分析してヒストグラム化し、その明るさ分布のピーク数とピーク位置を割り出す（ステップＳ７５）。制御部６１はピーク数とピーク位置を判断し、散乱光ピーク５１のほかに正反射光ピーク５２がヒストグラムの明るい領域側に存在すれば、媒体が正しく置かれていないものと判断する（ステップＳ７６）。
【００３０】
その後、制御部６１は操作者に対し、図９に示すように、表示器８１に媒体の反り等を直させて媒体を決められた位置に正しく置き直す媒体の置き直し案内画面８１Ｂを表示する（ステップＳ７８）。この媒体の置き直し案内画面８１Ｂの表示案内に従って、操作者が媒体２１を設置台１２に正しく置き直すと（ステップＳ７９）、先に述べたステップＳ７３以降の正しく置かれた媒体の処理と同じ処理手順に移行し、制御部６１は媒体が正しく置かれているものと判断して上述した媒体の照合動作を開始して、媒体の真偽判定を実行する。
【００３１】
この実施例では、媒体３１が正しく置かれていない場合に、操作者への案内手段として、媒体３１の置き直しを例にとって示したが、表示による出力でなく、音声、或いは係員の誘導処理によっても実現できる。
【００３２】
上述のように、媒体を真偽判定する直前に、媒体が正しく置かれたか否かを事前に判断できるため、不具合があれば直ちに操作者に媒体を正しく置き直させるように案内できる。また、常に媒体を正しく置かせてから読み取るようにした設置姿勢確認機能を有しているので媒体の真偽判別を正確に実施することができる。
【００３３】
この発明の構成と、上述の一実施例の構成との対応において、
この発明の撮像手段は、実施例の撮像カメラ１３に対応し、
以下同様に、
出力手段は、表示器８１に対応し、
登録画像情報は、照合情報記憶部６３に対応し、
判定手段は、判定部６４に対応するも、この発明は、上述の実施例の構成のみに限定されるものではなく、請求項に示される技術思想に基づいて多くの実施の形態を得ることができる。
【図面の簡単な説明】
【００３４】
【図１】イメージ画像読取装置の概略構成図。
【図２】イメージ画像読取装置を用いて正しく置かれた適正な媒体の読取状態を示す概略説明図。
【図３】イメージ画像読取装置を用いて不安定に置かれた媒体の読取状態を示す概略説明図。
【図４】適正なイメージ画像データのヒストグラムを示す図表。
【図５】不適正なイメージ画像データのヒストグラムを示す図表。
【図６】イメージ画像読取装置の制御回路ブロック図。
【図７】イメージ画像読取装置の処理動作を示すフローチャート。
【図８】媒体の置き方案内画面を示す表示説明図。
【図９】媒体の置き直し案内画面を示す表示説明図。
【符号の説明】
【００３５】
１１…光源
１２…設置台
１３…撮像カメラ
２１，３１…媒体
２２，３２…照射光
２３，３３…正反射光
２４，３４…散乱光
４１，５１…散乱光ピーク
５２…正反射光ピーク
８１…表示器
８１Ａ…媒体の置き方案内画面
８１Ｂ…媒体の置き直し案内画面
【図１】
2008310624.tif 000003
【図２】
2008310624.tif 000004
【図３】
2008310624.tif 000005
【図４】
2008310624.tif 000006
【図５】
2008310624.tif 000007
【図６】
2008310624.tif 000008
【図７】
2008310624.tif 000009
【図８】
2008310624.tif 000010
【図９】
2008310624.tif 000011